(57)【要約】【課題】イカ釣りにてヤエンを使用する場合に、釣人の複雑な操作を軽減するために、ヤエンを必要な時にいつでもどこでも手が届くところに保持し、強力に保持しつつも、片手で脱着出来るヤエンの保持具を提供する。【解決手段】ヤエンを釣竿に保持するものとし、釣竿を挟持する部位と、ヤエンを挟持する部位を有し、ヤエンを挟持する部位が、拡開状に左右挟持片を有するコの字形状の弾性的なクリップ本体と、クリップ本体の左右挟持片間幅よりも幅狭状なコの字形状の弾性的な押圧カバーとで構成され、押圧カバーは釣竿を挟持する部位に固定され、押圧カバーとクリップ本体は係合され、クリップ本体は押圧カバー内部に上下スライド可能に装着されており、クリップ本体の左右挟持片同士を押圧状に近接せしめる事によりヤエンを挟持する構造とする事により、ヤエンを簡単に釣竿に脱着出来る保持具を提供するものである。【選択図】図１
2006325416.tif 000002
【特許請求の範囲】
【請求項１】
イカ釣りに使用するヤエンを釣竿に装着する保持具であって、釣竿を挟持する部位と、ヤエンを挟持する部位からなり、ヤエンを挟持する部位が、拡開状に左右挟持片を有するコの字形状の弾性的なクリップ本体と、クリップ本体の左右挟持片間幅よりも幅狭状なコの字形状の弾性的な押圧カバーとで構成され、押圧カバーは釣竿を挟持する部位に固定され、押圧カバーとクリップ本体は係合され、クリップ本体は押圧カバー内部に上下スライド可能に装着されており、クリップ本体の左右挟持片同士を押圧状に近接せしめる事によりヤエンを挟持する事を特徴とする保持具。
【発明の詳細な説明】
【技術分野】
【０００１】
本発明は、イカ釣り用ヤエンを釣竿に保持する釣具に関する。
【背景技術】
【０００２】
イカ釣りにてヤエンを使用する場合では、イカが掛かるとリールを巻いてイカを近くまで寄せ、近くまで寄せ終わると、イカが突然に走り出す事に注意しながら、片手で穂先から先の釣糸を手繰りつつも、もう一方の手でヤエンを手に取り、釣竿を足に挟むなどで釣竿を保持しながら、手繰り寄せた釣糸にヤエンを装着するといった複雑な動作を行う必要があった。さらにヤエンを送り込みやすい場所に移動しながら一連の動作を行う事もあり、ヤエンを手に持って移動しながらの動作となると、非常に複雑な事をこなす必要があった。
【発明の開示】
【発明が解決しようとする課題】
【０００３】
イカ釣りにてヤエンを使用する場合には、一度に複雑な動作をこなす必要があり、このような釣人の負担を軽減するために、ヤエンを必要な時にいつでもどこでも手が届くところにヤエンを配置する事により、ヤエン投入時の負担を軽減し、ヤエンの投入に集中出来る体制を整える事によって釣果をあげる事を狙うものである。ヤエンの配置は釣竿に装着する事も考えられるが、イカ釣り用のヤエンは、様々な形状のものが存在し、ヤエンに使用されている線材の太さや線材と線材の結合部も多種多様であり、多種多様なヤエンを単純なスリットに押し込む事により挟持する事は困難であった。さらに一般に使用されている洗濯挟みのように抓む事により開放するような挟持構造では、ヤエンを持つ事以外に別途操作が必要であり、ヤエンを脱着する際に十分な負担軽減には至らなかった。
【課題を解決するための手段】
【０００４】
本発明は、上記の課題を解決するため、ヤエンを釣竿に保持するものとし、「釣竿を挟持する部位」と、「ヤエンを挟持する部位」を有し、「ヤエンを挟持する部位」が、拡開状に左右挟持片を有するコの字形状の弾性的なクリップ本体と、クリップ本体の左右挟持片間幅よりも幅狭状なコの字形状の弾性的な押圧カバーとで構成され、押圧カバーは釣竿を挟持する部位に固定され、押圧カバーとクリップ本体は係合され、クリップ本体は押圧カバー内部に上下スライド可能に装着されており、クリップ本体の左右挟持片同士を押圧状に近接せしめる事によりヤエンを挟持する構造を採用している。なお、上述のクリップ本体と押圧カバーによるスライド方式のクリップは、文具にて一般に知られている構造を採用したものであり、「実用新案公開平６−７１１５９」として知られているものである。
【０００５】
上述のような構造とする事により、ヤエンを挟んだクリップ本体をヤエンと共に押圧カバーに押し付ける事により、片手で容易に装着する事が可能であり、ヤエンを開放する場合についても、片手でヤエンと共にクリップ本体を引き出せば、クリップ本体がスライドして押圧カバーから開放され、片手だけで容易にヤエンを開放する事が出来るものである。このようにヤエンを持った片手で開放できる事は、釣人の負担が大きく軽減できるものである。
【０００６】
クリップ本体の内側には、弾力性があるシートを貼り付ける事により、様々なヤエンに対して凸凹な形状の挟持箇所であっても、広く挟持圧力を掛ける事が出来るものである。
【０００７】
上述のような構造とした事により強固にヤエンを固定できる事から、ヤエンを構成する２本の線材が交差する部位の一箇所だけを挟持して前後左右の動きを固定する事が可能であり、脱着操作が俊敏に出来るものとなっている。
【０００８】
本発明の保持具を釣竿に保持する方法としては、一般に使用されている洗濯挟みのような構造で釣竿を挟持するものや、円弧形状のバネにより釣竿を挟持するものや、ゴムバンドや面ファスナーにより釣竿を挟持するものであっても良い。
【発明の効果】
【０００９】
本発明によれば、イカ釣りにてヤエンを使用する場合において、ヤエンを必要な時にいつでもどこでも手が届くところに配置出来る事から、複雑な操作を軽減する事が可能であり、ヤエン投入時の負担を軽減し、ヤエン投入に集中出来るため、釣果をあげる事が出来る。保持具からの脱着はヤエンを持った片手だけで操作する事が可能であり、さらに脱着が容易で強く挟持出来る構造を採用した事により、ヤエンの一箇所を挟持して固定する事が可能であり、脱着操作が俊敏に出来るものとなっている。
【発明を実施するための最良の形態】
【００１０】
以下、本発明の実施の形態について説明する。
図１は本発明の第１実施形態の詳細を示すものである。図２は、本発明の第１実施形態の使用状況を示すものである。図３は、本発明の第１実施形態において、ヤエンの脱着操作の説明図である。図４は、本発明の保持具と釣竿との固定方法の説明図である。
【００１１】
（第１実施形態）
図１において、本発明の保持具は、「釣竿を挟持する部位」と、「ヤエンを挟持する部位」から構成されており、「釣竿を挟持する部位」は、釣竿を狭持する挟み片４ａと、釣竿表面を保護しつつ摩擦力を高める保護シート４ｃと、左右の挟み片４ａに狭持力を与えるＣ型バネ４ｂで構成している。一方、「ヤエンを挟持する部位」は、拡開状に左右挟持片を有するコの字形状の弾性的なクリップ本体１と、クリップ本体１の左右挟持片間幅よりも幅狭状なコの字形状の弾性的な押圧カバー２と、クリップ本体１の内側に貼り付けられた弾性シート３で構成している。また、「釣竿を挟持する部位」と「ヤエンを挟持する部位」は、Ｃ型バネ４ｂと押圧カバー２をファスナー５で固定する事により接続している。
【００１２】
なお、押圧カバー２とクリップ本体１は係合され、クリップ本体１は押圧カバー２の内部に上下スライド可能に装着されており、クリップ本体１の左右挟持片同士を押圧状に近接せしめる事によりヤエンを挟持する構造を採用している。
【００１３】
図２は、本発明の第１実施形態の使用状況を示すものであり、本発明の保持具は、釣竿Ａを狭持し固定されており、さらにヤエンＢを挟持して固定しているものである。また、ヤエンＢが長尺であるにも拘わらず、ヤエンＢの一箇所だけで挟持する事が可能であり、脱着操作が俊敏に出来るものとなっている。ヤエンＢの挟持箇所は、ヤエンＢを構成する２本の線材が交差する部位を挟持する事により前後左右の動きを固定出来るものとしている。
【００１４】
図３は、本発明の第１実施形態におけるヤエンＢの脱着操作の説明図である。（ａ）は装着前の保持具の状態を示し、（ｂ）は装着後の保持具の状態を示している。
【００１５】
（ａ）に示すように、保持具のクリップ本体１は押圧カバー２から開放された状態であり、クリップ本体１は拡開状に開いている。開いているクリップ本体１にヤエンＢを挟み、ヤエンＢを挟んだクリップ本体１をヤエンＢと共に押圧カバー２に押し付ける事により、クリップ本体１がスライドして押圧カバーに押し込まれ、（ｂ）に示すようにヤエンＢが保持される事となる。また、クリップ本体１の内側に弾力性がある弾性シート３を貼り付ける事により、ヤエンＢを構成する２本の線材が交差する凸凹な形状の挟持箇所に対して、広く挟持圧力を掛ける事が可能となっている。
【００１６】
上述のような構造を採用している事から、片手で容易に装着する事が可能であり、ヤエンＢを開放する場合についても、ヤエンＢと共にクリップ本体１を押圧カバー２から引き出せば、クリップ本体１がスライドして押圧カバー２から開放されるため、片手だけで容易にヤエンを開放する事が出来るものである。このようにヤエンを持った片手で開放できる事は、釣人の負担が大きく軽減できるものである。
【００１７】
図４は、本発明の保持具と釣竿との固定方法の説明図である。（ａ）は、第１実施形態の狭持方法であり一般に広く使われている洗濯挟みと同等の構造である。（ｂ）は、円弧形状の板バネ４ｄを使用して釣竿Ａを狭持するもので、金属バネであっても樹脂バネであっても良い。（ｃ）は、面ファスナー付きベルト４ｆを使用して釣竿Ａを狭持するもので、四角リング４ｇで面ファスナー付きベルト４ｆを折り返して釣竿Ａを締付けている。  （ｄ）は、円弧狭持片４ｉを使用して釣竿Ａを狭持するもので、ゴムバンド４ｈを使用して締付けている。
【００１８】
（ｂ）、（ｃ）、（ｄ）に示すように、保持されたヤエンが、極端に釣竿Ａに接近しないように、必要に応じてスペーサー４ｅを設けている。また、（ａ）、（ｂ）に示すように、釣竿Ａの表面を保護するとともに摩擦力を得るために、必要に応じて保護シート４ｃを設けている。
【産業上の利用可能性】
【００１９】
本発明は、イカ釣り用ヤエンを容易に釣竿に脱着出来る事により、複雑な操作を効率的に出来る釣具として有用に利用する事ができる。
【図面の簡単な説明】
【００２０】
【図１】本発明の第１実施形態の詳細を示すものである。
【図２】本発明の第１実施形態の使用状況を示すものである。
【図３】本発明の第１実施形態において、ヤエンの脱着操作の説明図である。
【図４】本発明の保持具と釣竿との固定方法を示す説明図である。
【符号の説明】
【００２１】
Ａ      釣竿
Ｂ      ヤエン
１      クリップ本体
２      押圧カバー
３      弾性シート
４      釣竿狭持部位
４ａ    挟み片
４ｂ    Ｃ型バネ
４ｃ    保護シート
４ｄ    円弧形状の板バネ
４ｅ    スペーサー
４ｆ    面ファスナー付きベルト
４ｇ    四角リング
４ｈ    ゴムバンド
４ｉ    円弧狭持片
５      ファスナー
【図１】
2006325416.tif 000003
【図２】
2006325416.tif 000004
【図３】
2006325416.tif 000005
【図４】
2006325416.tif 000006